(57)【要約】      （修正有）【課題】張設された海苔網の消毒作業を海上で行う際に、芽傷みを起こすおそれがある濃度の供給液が、巻き取られた海苔網に直接付着しないようにすることができると共に、海苔網の消毒に好適な濃度を維持するための混合液を調製することができる海苔網の消毒槽等を提供する。【解決手段】海苔網の消毒槽２０は、槽本体部２０１と、海苔網をロール状に巻き取り可能な巻取部３０と、槽本体部２０１に設けられ、槽本体部２０１内へ給液可能な給液部４１と、給液部４１の周囲あるいは周囲の一部に覆設し、給液により発生する飛沫の外部拡散を遮断可能な区画部材により構成され、区画部材の内部に槽本体部２０１の内底方向に向かう空間４２３が形成されると共に、空間４２３の内部と外部にある液が、相互に流入出可能な通液部が形成されている給液部用カバー体４２とを備える。【選択図】図１
2019115330.tif 000002
【特許請求の範囲】
【請求項１】
槽本体部と、
該槽本体部内に設けられ、海苔網をロール状に巻き取り可能な巻取部と、
前記槽本体部に設けられ、同槽本体部内へ給液可能な給液部と、
該給液部の周囲あるいは周囲の一部に覆設し、給液により発生する飛沫の外部拡散を遮断可能な区画部材により構成され、該区画部材の内部に前記槽本体部の内底方向に向かう空間が形成されると共に、該空間の内部と外部にある液が、相互に流入出可能な通液部が形成されている給液部用カバー体とを備える
海苔網の消毒槽。
【請求項２】
前記給液部用カバー体が、液密な素材で形成されていると共に、前記区画部材が前記槽本体部の内底あるいは内底近傍まで延設され、前記通液部の位置が前記槽本体部の内底近傍に設定された構造である
請求項１に記載の海苔網の消毒槽。
【請求項３】
前記給液部用カバー体が、前記区画部材が柔軟なシートで形成され、上方が開口し、下方が垂下した略樋形状に設けられると共に、同給液部用カバー体の上縁部の位置が前記給液部の位置よりも高い位置に設定された構造である
請求項２に記載の海苔網の消毒槽。
【請求項４】
前記給液部用カバー体が、前記区画部材が２枚の板材で形成され、該板材が前記給液部を挟んで対向して立設されると共に、同給液部用カバー体の上端縁の位置が前記給液部よりも高い位置に設定された構造である
請求項２に記載の海苔網の消毒槽。
【請求項５】
海苔網をロール状に巻き取り可能な巻取部、および、槽内へ給液可能な給液部を有する海苔網の消毒槽に取り付け可能で、前記給液部の周囲あるいは周囲の一部を覆設し、給液により発生する飛沫の外部拡散を遮断可能な区画部材により構成され、該区画部材の内部に前記消毒槽の内底方向に向かう空間が形成されると共に、該空間の内部と外部にある液が、相互に流入出可能な通液部が形成されている
給液部用カバー体。
【請求項６】
海苔網をロール状に巻き取り可能な巻取部が内部に設けられた海苔網の消毒槽に取り付けられる、該消毒槽内へ給液可能な給液部と、
該給液部の周囲あるいは周囲の一部を覆設し、給液により発生する飛沫の外部拡散を遮断可能な区画部材により構成され、該区画部材の内部に前記消毒槽の内底方向に向かう空間が形成されると共に、該空間の内部と外部にある液が、相互に流入出可能な通液部が形成されている給液部用カバー体とを備える
海苔網の消毒装置。
【請求項７】
船体と、
該船体内に設けられた槽本体部、該槽本体部内に設けられ、海苔網をロール状に巻き取り可能な巻取部、前記槽本体部に設けられ、同槽本体部内へ給液可能な給液部、該給液部の周囲あるいは周囲の一部を覆設し、給液により発生する飛沫の外部拡散を遮断可能な区画部材により構成され、該区画部材の内部に前記槽本体部の内底方向に向かう空間が形成されると共に、該空間の内部と外部にある液が、相互に流入出可能な通液部が形成されている給液部用カバー体を有する海苔網の消毒槽とを備える
作業船。
【請求項８】
消毒液の溶媒となる被供給液を内部に貯留し、海苔養殖場から巻き取られてロール状となった海苔網を収容した、給液部を備える消毒槽において、給液部用カバー体で内部に空間を設けて覆われた給液部から、前記空間に流入している前記被供給液に対し、前記ロール状の海苔網に飛沫が直接付着しないようにして消毒液の溶質となる供給液を給液し、その混合液で、前記海苔網を浸漬する消毒液を消毒に好適な濃度に調節する工程を備える
海苔網の消毒方法。
【発明の詳細な説明】
【技術分野】
【０００１】
本発明は、海苔網の消毒槽、給液部用カバー体、海苔網の消毒装置、作業船、および、海苔網の消毒方法に関する。更に詳しくは、張設された海苔網の消毒作業を海上で行う際に、芽傷みを起こすおそれがある濃度の供給液が、巻き取られた海苔網に直接付着しないようにすることができると共に、海苔網の消毒に好適な濃度を維持するための混合液を調製することができるものに関する。
【背景技術】
【０００２】
従来から、海苔養殖の際に、海苔網に付着した海苔に珪藻類あるいは赤腐れ菌等が付着して海苔の品質が低下する問題が生じており、この問題の対策として、海苔に付着する珪藻類あるいは菌類を酸処理剤によって除去する方法がある。前述の酸処理方法は、消毒液の貯留槽を備えた作業船により行われ、作業船に設けられた巻取装置で巻き取られた海苔網を貯留槽の消毒液に一定時間浸漬して行われる。
【０００３】
ところで、前述の作業船は、一部の海域において比較的小型な箱型船しか使用が許可されていない場合がある。このような箱型船では、船体が小型なこと等に起因して、酸処理液のｐＨ自動調節装置を積載するスペースがないため、作業者の判断でｐＨ調節が行われているケースが多く見られ、海苔網の巻き取り、酸処理の時間管理、操船等の作業を行いながら、酸処理液を所望のｐＨ値に維持管理することは、作業者の大きな負担であった。
【０００４】
そこで、このような作業負担を軽減すべく、下記特許文献１において酸処理液を所望のｐＨ値に維持することが可能な箱型船が提案されている。この箱型船は、酸処理液のｐＨを検出するｐＨセンサと、海苔が付着した海苔網を巻き取る一対の巻取ロールが設けられた酸処理液の貯留槽と、酸処理液の液面に対峙するように酸処理槽の上方に設けられた棒状部材と、棒状部材から酸処理液の液面に向かって垂下する可撓シート材と、一対の巻取ロールの間で、巻取ロールに巻き取られる海苔網と干渉しない位置に設けられ、可撓シート材の両側に棒状部材に沿って設けられ、酸原液を可撓シート材に向かって吐出する複数の吐出孔が所定間隔で形成された管状部材により構成された、酸原液を吐出する原給液部と、ｐＨセンサの検出値に基づいて原給液部に吐出する酸原液の供給量を自動調節する原液供給装置とを備えるものである。
【０００５】
本明細書の図１０（ａ）と（ｂ）は、特許文献１に記載された箱型船９０における前述の棒状部材９１および可撓シート材９２を含む原給液部９３の周辺構造と吐出された酸原液９４の動きを示しており、酸原液９４は、チューブ９３ａ、９３ｂ、チューブ９３ａ、９３ｂの吐出孔９３１ａ、９３１ｂから吐出され、可撓シート材９２の表面を伝って流下し、酸処理液９５の液面に落ちるようになっている。
【先行技術文献】
【特許文献】
【０００６】
【特許文献１】特許第６１６１０１６号公報
【発明の概要】
【発明が解決しようとする課題】
【０００７】
ところで、海苔漁の季節は冬場であり、内海にある漁場であってもそれなりに海面は荒れ、風も強いことが多い。そのような状況下で特許文献１に記載された箱型船９０を運用した場合、海苔網の消毒作業中に、風や船体の揺れに伴って前述の可撓シート材９２がはためき、表面を伝う酸原液９４が周囲に飛び散るおそれがある。また、船体の揺れに伴い、箱型船９０に貯留された酸処理液９５の液面が波打ち、巻かれた海苔網の一部が液面上に露出することもある。
【０００８】
このような環境下で、仮に、飛び散った酸原液９４が、巻かれた海苔網に付着した場合、付着箇所では強い酸によって芽痛み（白化）が起き、芽痛みが起きることにより海苔の芽が脱落して生産量が落ちることになる。そして、収穫時において芽痛みの葉のみを除去することはほぼ不可能であり、芽痛みの葉が混入した海苔製品は等級が下がって価格も低下するので、生産者に与える影響が大きい。
【０００９】
本発明は、以上の点を鑑みて創案されたものであり、張設された海苔網の消毒作業を海上で行う際に、芽傷みを起こすおそれがある濃度の供給液が、巻き取られた海苔網に直接付着しないようにすることができると共に、海苔網の消毒に好適な濃度を維持するための混合液を調製することができる海苔網の消毒槽、給液部用カバー体、海苔網の消毒装置、作業船、および、海苔網の消毒方法を提供することを目的とする。
【課題を解決するための手段】
【００１０】
上記の目的を達成するために、本発明の海苔網の消毒槽は、槽本体部と、槽本体部内に設けられ、海苔網をロール状に巻き取り可能な巻取部と、槽本体部に設けられ、槽本体部内へ給液可能な給液部と、給液部の周囲あるいは周囲の一部に覆設し、給液により発生する飛沫の外部拡散を遮断可能な区画部材により構成され、区画部材の内部に槽本体部の内底方向に向かう空間が形成されると共に、空間の内部と外部にある液が、相互に流入出可能な通液部が形成されている給液部用カバー体とを備える。
【００１１】
ここで、槽本体部は、被供給液を貯留することができる。この被供給液の用語は、給液部から供給される液に対する溶媒であり、海水、真水、消毒液の原液等の供給液を希釈してなる消毒液のいずれも含むことがある。また、被供給液は、例えば、海水である場合、海苔養殖場に着いてから現場の海水を汲み上げる態様であってもよいし、大型の母船に予め貯留された消毒液の供給を受ける態様であってもよい。
【００１２】
そして、巻取部は、槽本体部内に設けられ、海苔網をロール状に巻き取り可能に構成されていることによって、海苔養殖場に張設された海苔網をロール状に巻き取ることができ、巻き取り後のロール状の海苔網を、槽本体部内で被供給液の液面側に浮上しないように保持することができる。
【００１３】
更に、給液部は、槽本体部内へ給液可能に構成されていることによって、例えば、消毒液の生成にあたり、消毒液の溶質となる原液（供給液）を、槽本体部内に貯留された海水等の溶媒（被供給液）に供給することができる。
【００１４】
更にまた、給液部用カバー体は、給液部の周囲あるいは周囲の一部を覆設し、給液により発生する飛沫の外部拡散を遮断可能な区画部材により構成されていることによって、給液部からの給液の際に飛沫が発生したとしても、この飛沫を区画部材により遮断することができる。これにより、巻取部で巻き取られた海苔網に供給液が直接付着しないようにすることができる。
【００１５】
例えば、供給液が消毒液の原液（強い酸性）である場合、これが海面上に露出した巻き取り中の海苔網、あるいは、一時的に被供給液の液面上へ露出したロール状の海苔網に直接付着すると、先に説明したとおり芽傷みを起こすが、本発明は、前述の通り、給液部用カバー体が給液部の周囲等に覆設された構成であり、給液部用カバー体が飛沫（供給液に起因する）の外部への飛散を止めるので、海苔網に供給液が直接付着することが抑制され、これにより芽傷みの発生も抑制することができる。
【００１６】
そして、給液部用カバー体は、区画部材の内部に槽本体部の内底方向に向かう空間が形成されると共に、空間の内部と外部にある液が、相互に流入出可能な通液部が形成されていることによって、この空間内で、給液部から給液された液（供給液）と、空間外から流入した液（被供給液）による混合液を混成することができる。
【００１７】
（混合液混成のサイクル）
まず、通液部を通じて、槽本体部内において給液部用カバー体の外部に貯留されている被供給液（例えば、海水）が、給液部用カバー体の内部（前述の空間内）に流入する。次に、流入した被供給液は、給液部から供給された供給液（例えば、消毒液の原料液）と混成されて混合液（以下「一次混合液」という場合がある）となり、この混合液が、通液部を通じて給液部用カバー体の外部（前述の空間外）に流出する。
【００１８】
つまり、この空間内では、濃度の濃い（比重が大きい）混合液（一次混合液）が、外部へ押し出され、入れ替わりに濃度の薄い（比重が小さい）被供給液あるいは後述する二次混合液が前述の空間内に入ってくるサイクルで、液の流出入が起きる。そして、流出した混合液（一次混合液）は、槽本体部内において給液部用カバー体の外部に貯留されている被供給液と混じり合って、消毒液である二次混合液が混成され、このサイクルが進むことで海苔網の消毒に適した濃度の消毒液になる。
【００１９】
更に、この内外の液が入れ替わるサイクルは、供給液が供給されている間は継続し、海苔網の巻き取りに伴って槽本体部内にある被供給液に海水が混じる（一時的に基準濃度よりも希釈された状態になる。以下「海水混入による希釈」という場合がある）ことがあっても、被供給液を海苔網の消毒に好適な濃度に維持することができる。
【００２０】
なお、槽本体部に貯留する被供給液の濃度の調節には、例えば、ｐＨセンサ、ｐＨセンサの検出値に基づいて給液部からの給液量を自動調節する送液装置を使用しても良い。
【００２１】
更にまた、給液部用カバー体は、前述の通液部が形成されていることによって、内外の液体を、通液部を通して出入りさせることができる。そして、供給される供給液が、給液部用カバー体内の空間における被供給液の液面に落ち、落ちた後に空間内の被供給液と混じりながら混合液（一次混合液）となって、液面下にある通液部を介して流出する。このサイクルを経て流出する混合液（一次混合液）は、例えば、前述のｐＨセンサあるいは送液装置を用いて、供給液の給液量を適宜調整することで、即時に海苔の芽傷みを起こさない程度まで希釈することができ、消毒作業を安全に行うことできる。
【００２２】
なお、給液部から供給される液としては、例えば、消毒液の原料液（強酸性である消毒液の原液、前述の原液よりも薄いものの、海苔に芽傷みを起こす可能性が高い濃度の液体を含む）が挙げられるが、これに限定するものではなく、海苔網の消毒に好適な濃度に調製された消毒液そのものについても除外するものではない。
【００２３】
また、給液部用カバー体が、液密な素材で形成されていると共に、区画部材が槽本体部の内底あるいは内底近傍まで延設され、通液部の位置が槽本体部の内底近傍に設定された構造である場合は、例えば、供給液が被供給液に供給されて間もない等、被供給液への混合が不十分で、混合液の濃度にムラがある状態（以下、この状態を「混合未然状態」という）で生じる、供給液に準ずるような濃度が高い部分（以下「混合未然部分」という）が、海苔網に付着することを抑制することができる。
【００２４】
前述のように、例えば供給液が消毒液の原液である場合、その付着により海苔網で芽傷みを起こすが、同様に、混合未然部分が海苔網に付着した場合、付着箇所で芽痛みが起きるおそれがある。しかしながら、本発明は前述の構成を有することにより、巻き取られた海苔網への混合未然部分の付着についても抑制することができるので、より消毒作業の安全性を高めることができる。
【００２５】
なお、混合未然状態は、例えば、給液部が液面上に設けられている場合は供給液が滴下した被供給液の表層に、給液部が液中に設けられている場合は給液部周囲の被供給液の液中に、それぞれ生じる可能性があるが、給液部用カバー体が液密な素材であるため、混合未然部分がその状態で給液部用カバー体の外に流出することを抑制することができる。
【００２６】
そして、給液部用カバー体は、区画部材が槽本体部の内底あるいは内底近傍まで延設された構成であるため、給液部用カバー体内の空間を広く取ることができると共に、被供給液の液面から通液部までの距離が長くなり、この結果、供給液は、流出部分である通液部に至るまでに、被供給液と充分に混合あるいは希釈されて、混合未然部分が無いか、あるいは極めて少ない混合液として、外部に流出するようにすることができる。
【００２７】
また、給液部用カバー体が、区画部材が柔軟なシートで形成され、上方が開口し、下方が垂下した略樋形状に設けられると共に、給液部用カバー体の上縁部の位置が給液部の位置よりも高い位置に設定された構造である場合は、給液部用カバー体を構成する区画部材の材料として柔軟なシートを採用したことによって、消毒槽への取り付けがしやすいと共に、板材等で構成するよりも比較的軽量であるため、給液部用カバー体の重量軽減を図ることができる。そして、シートとして、例えば合成樹脂シート等を採用することで、比較的安価な材料で構成できるものでありながら、巻き取られた海苔網へ供給液が直接または混合未然状態で付着することを充分に抑制することができる。
【００２８】
なお、給液部用カバー体を形成するシートが柔軟であることによって、例えば、槽本体部の上方に対向配置された一対の棒体にシートの縁部を係止し、槽本体部の内底近傍に設けられた棒体にシートの中間部分を回し掛ける等することで、上方が開口すると共に、下方が槽本体部の内底方向に垂下した略樋形状にすることができる。
【００２９】
この場合、上方が開口していることで、給液部から液が供給されているか否かを目視確認することができる。このとき、消毒槽を積載した作業船が波で揺れたり風が吹き込んだりすることによって供給される液が多少飛び散って飛沫が発生したとしても、給液部用カバー体の上縁部の位置が給液部の位置よりも高い位置にあるので、前述の飛沫（供給液）が上方の開口から外部へ飛散することを抑制することができる。
【００３０】
そして、給液部用カバー体は、その下方が垂下した略樋形状に設けられているので、給液部用カバー体を挟んで槽本体部内が区画された（換言すると、槽本体部内が仕切られた）状態となり、これにより、例えば、海苔網の消毒槽が少なくとも２つの巻取部を有し、各巻取部の間に給液部用カバー体が配置された構成である場合、海苔網の巻き取り作業の際に、巻き取り中の一方の海苔網が勢い余って既に槽内にあるロール状に巻かれた他方の海苔網に接触して絡み、この絡みを解くために作業が遅延する、といった事故を抑止することができる。この事故の抑止により、海苔網の破損のみならず、消毒中の海苔網が規定時間以上浸漬されるという事態も回避することができる。
【００３１】
なお、前述のシートとしては、例えばポリプロピレン、ポリエチレン等のやや厚手の合成樹脂シートを使用できるが、これに限定するものではなく、例えば、キャンバス生地や、目が細かく厚手の布地等、通水性があっても、少なくとも付着した水滴等が直ちに通過するような素材でなければ、好適に使用することができる。更に、巻き取り作業時に海苔網が当たることがあり、耐久性を考慮して、補強材（例えばポリエステル強力糸で格子状に編織したネット等）が付加されているものの使用が好適である。また、前述の区画作用との接触防止を考慮すると、前述の給液部用カバー体を形成するシートは、弛まない程度の張力を与えた態様で取り付けられることが好ましい。
【００３２】
また、給液部用カバー体が、区画部材が２枚の板材で形成され、板材が給液部を挟んで対向して立設されると共に、給液部用カバー体の上端縁の位置が給液部よりも高い位置に設定された構造である場合は、給液部用カバー体が板材で形成された構造であることによって、巻き取られた海苔網へ供給液が直接または混合未然状態で付着することを充分に防止することができる。また、本構成の給液部用カバー体は、堅牢な構造であるため、少なくとも、巻き取り作業時に海苔網が当たる等しても容易に破損しない程度の耐久性向上を期待することができる。なお、前述の板材としては、例えばＦＲＰ（Fiber-Reinforced Plastics）の板材等が使用できる。
【００３３】
なお、給液部用カバー体は、区画部材が２枚の板材が給液部を挟んで対向して立設されていることによって、立設した板材と槽本体部の内底とによって上方が開口した略樋形状になり、この開口部分から、給液部から液が供給されているか否かを目視確認することができる。このとき、消毒槽を積載した作業船が波で揺れたり風が吹き込んだりすることによって供給される液が多少飛び散って飛沫が発生したとしても、給液部の位置が給液部用カバー体の間であり、かつ、給液部用カバー体の上縁部の位置が給液部の位置よりも高い位置にあるので、前述の飛沫（供給液）が上方の開口から外部へ飛散することを抑制することができる。
【００３４】
そして、前述の給液部用カバー体は、槽本体部に立設されているので、給液部用カバー体を挟んで槽本体部内が区画された（換言すると、槽本体部内が仕切られた）状態となり、これにより、例えば、海苔網の消毒槽が少なくとも２つの巻取部を有し、各巻取部の間に給液部用カバー体が配置された構成である場合、海苔網の巻き取り作業の際に、巻き取り中の一方の海苔網が勢い余って既に槽内にあるロール状に巻かれた他方の海苔網に接触して絡み、この絡みを解くために作業が遅延する、といった事故を抑止することができる。この事故の抑止により、海苔網の破損のみならず、消毒中の海苔網が規定時間以上浸漬されるという事態も回避することができる。
【００３５】
上記の目的を達成するために、本発明の給液部用カバー体は、海苔網をロール状に巻き取り可能な巻取部、および、槽内へ給液可能な給液部を有する海苔網の消毒槽に取り付け可能で、給液部の周囲あるいは周囲の一部を覆設し、給液により発生する飛沫の外部拡散を遮断可能な区画部材により構成され、区画部材の内部に消毒槽の内底方向に向かう空間が形成されると共に、空間の内部と外部にある液が、相互に流入出可能な通液部が形成されているものである。
【００３６】
ここで、給液部用カバー体は、巻取部と給液部を有する海苔網の消毒槽に取り付けることができる。そして、この給液部用カバー体は、給液部の周囲あるいは周囲の一部を覆設し、給液により発生する飛沫の外部拡散を遮断可能な区画部材により構成されていることによって、給液部からの給液の際に飛沫が発生したとしても、この飛沫を区画部材により遮断することができる。つまり、本発明によれば、巻取部で巻き取られた海苔網への供給液の直接付着が抑制され、これにより芽傷みの発生も抑制することができる。
【００３７】
そして、給液部用カバー体は、区画部材の内部に槽本体部の内底方向に向かう空間が形成されると共に、空間の内部と外部にある液が、相互に流入出可能な通液部が形成されていることによって、この空間内で、給液部から給液された液（供給液）と、空間外から流入した液（被供給液）による混合液を混成することができる。なお、この混合液の混成に関する作用効果については、前述の「（混合液混成のサイクル）」における記載と同様であるため、説明を省略する。
【００３８】
上記の目的を達成するために、本発明の海苔網の消毒装置は、海苔網をロール状に巻き取り可能な巻取部が内部に設けられた海苔網の消毒槽に取り付けられる、消毒槽内へ給液可能な給液部と、給液部の周囲あるいは周囲の一部を覆設し、給液により発生する飛沫の外部拡散を遮断可能な区画部材により構成され、区画部材の内部に消毒槽の内底方向に向かう空間が形成されると共に、空間の内部と外部にある液が、相互に流入出可能な通液部が形成されている給液部用カバー体とを備える。
【００３９】
ここで、海苔網の消毒装置は、巻取部を設けた海苔網の消毒槽に、前述の給液部と給液部用カバー体とを設けることができる。また、給液部は、前述の構成であることによって、液を消毒槽内へ供給することができる。
【００４０】
そして、海苔網の消毒装置は、給液部用カバー体が、給液部の周囲あるいは周囲の一部を覆設し、給液により発生する飛沫の外部拡散を遮断可能な区画部材により構成されていることによって、給液部からの給液の際に飛沫が発生したとしても、この飛沫を区画部材により遮断することができる。つまり、本発明によれば、巻取部で巻き取られた海苔網への供給液の直接付着が抑制され、これにより芽傷みの発生も抑制することができる。
【００４１】
更に、海苔網の消毒装置は、給液部用カバー体が、区画部材の内部に槽本体部の内底方向に向かう空間が形成されると共に、空間の内部と外部にある液が、相互に流入出可能な通液部が形成されていることによって、この空間内で、給液部から給液された液（供給液）と、空間外から流入した液（被供給液）による混合液を混成することができる。なお、この混合液の混成に関する作用効果については、前述の「（混合液混成のサイクル）」における記載と同様であるため、説明を省略する。
【００４２】
上記の目的を達成するために、本発明の作業船は、船体と、船体内に設けられた槽本体部、槽本体部内に設けられ、海苔網をロール状に巻き取り可能な巻取部、槽本体部に設けられ、槽本体部内へ給液可能な給液部、給液部の周囲あるいは周囲の一部を覆設し、給液により発生する飛沫の外部拡散を遮断可能な区画部材により構成され、区画部材の内部に槽本体部の内底方向に向かう空間が形成されると共に、空間の内部と外部にある液が、相互に流入出可能な通液部が形成されている給液部用カバー体を有する海苔網の消毒槽とを備える。
【００４３】
ここで、作業船は、船体を備えることにより、前述の海苔網の消毒槽を積載して、海上で巻き取った海苔網の消毒作業を行うことができる。この船体としては、小型の箱型船のものが挙げられるが、これに限定するものではなく、例えば、いわゆる潜り船と呼ばれる箱型船よりも大型のもの等を除外するものではない。
【００４４】
そして、作業船は、海苔網の消毒槽が前述の槽本体部を有することにより、被供給液を貯留することができる。また、作業船は、海苔網の消毒槽が前述の巻取部を有することにより、海苔養殖場に張設された海苔網をロール状に巻き取ることができ、巻き取り後のロール状の海苔網を、槽本体部内で被供給液の液面側に浮上しないように保持することができる。加えて、作業船は、海苔網の消毒槽が前述の給液部を有することによって、液を消毒槽内へ供給することができる。
【００４５】
更に、作業船は、海苔網の消毒槽が前述の給液部用カバー体を有することにより、給液部からの給液の際に飛沫が発生したとしても、この飛沫を区画部材により遮断することができる。つまり、本発明によれば、巻取部で巻き取られた海苔網への供給液の直接付着が抑制され、これにより芽傷みの発生も抑制することができる。
【００４６】
更にまた、前述の給液部用カバー体は、内部に形成された空間内で、給液部から給液された液（供給液）と、空間外から流入した液（被供給液）による混合液を混成することができる。なお、この混合液の混成に関する作用効果については、前述の「（混合液混成のサイクル）」における記載と同様であるため、説明を省略する。
【００４７】
上記の目的を達成するために、本発明の海苔網の消毒方法は、消毒液の溶媒となる被供給液を内部に貯留し、海苔養殖場から巻き取られてロール状となった海苔網を収容した、給液部を備える消毒槽において、給液部用カバー体で内部に空間を設けて覆われた給液部から、空間に流入している被供給液に対し、ロール状の海苔網に飛沫が直接付着しないようにして消毒液の溶質となる供給液を給液し、その混合液で、海苔網を浸漬する消毒液を消毒に好適な濃度に調節する工程を備える.
【００４８】
ここで、海苔網の消毒方法は、消毒槽の内部に被供給液を貯留することにより、この被供給液に供給液が給液されると、海苔養殖場から巻き取られてロール状となった海苔網を消毒するための消毒液を得ることができる。
【００４９】
このとき、給液部が給液部用カバー体で覆われているので、ロール状の海苔網に飛沫が直接付着しないように供給液を給液することができる。また、給液部を覆う給液部用カバー体は、内部に空間を設けてあるので、この空間に流入している被供給液に対して供給液を給液することで、混合液が混成され、その混合液で、海苔網を浸漬する消毒液を消毒に好適な濃度に調節することができる。
【発明の効果】
【００５０】
本発明によれば、張設された海苔網の消毒作業を海上で行う際に、芽傷みを起こすおそれがある濃度の供給液が、巻き取られた海苔網に直接付着しないようにすることができると共に、海苔網の消毒に好適な濃度を維持するための混合液を調製することができる海苔網の消毒槽、給液部用カバー体、海苔網の消毒装置、作業船、および、海苔網の消毒方法を提供することができる。
【図面の簡単な説明】
【００５１】
【図１】本発明の作業船を示す斜視説明図である。
【図２】図１に示す作業船の海苔網の消毒装置（第１実施形態）を示す斜視図である。
【図３】図２に示す海苔網の消毒装置（第１実施形態）の給液部用カバー体の展開図である。
【図４】図１に示す作業船の使用状態を示す模式図である。
【図５】図２に示す海苔網の消毒装置（第１実施形態）の使用状態を示す模式図である。
【図６】海苔網の消毒装置（第１実施形態）の変形例を示し、（ａ）は変形例１、（ｂ）は変形例２の斜視説明図である。
【図７】海苔網の消毒装置（第２実施形態）を示す模式図である。
【図８】海苔網の消毒装置（第２実施形態）の変形例を示し、（ａ）は変形例３、（ｂ）は変形例４の模式図である。
【図９】海苔網の消毒装置（変形例３）の変形例を示し、（ａ）は変形例５の模式図、（ｂ）は変形例５のシート支持部を分解説明した模式図である。
【図１０】特許文献１記載の箱型船の原給液部を示し、（ａ）は原給液部の長手方向を正面に見た箱型船の模式図、（ｂ）は原給液部の横断面模式図である。
【発明を実施するための形態】
【００５２】
図１ないし図９を参照して、本発明の実施の形態を更に詳細に説明する。なお、以下の説明は、最初に〔海苔網の消毒方法〕について行い、次に、海苔網の消毒方法に使用する機材として、〔第１実施形態〕（給液部用カバー体の構成材がシート材であるもの）、〔変形例１〕−〔変形例２〕、〔第２実施形態〕（給液部用カバー体の構成材が板材であるもの）、〔変形例３〕−〔変形例５〕、の順序により行う。また、各図面における符号は、煩雑さを軽減し理解を容易にする範囲内で付しており、同一符号が付される複数の同等物についてはその一部にのみ符号を付す場合がある。そして、後述する各実施形態および各変形例においては、供給液として、消毒液の原液（ｐＨ２程度のリンゴ酸液やクエン酸液等）を使用しているが、これに限定するものではなく、環境負荷が少なく、食品への添加が可能な他の各種消毒液やその原液等を除外するものではない。また、後述する用語「消毒槽」は前述した用語「海苔網の消毒槽」と、後述する用語「消毒装置」は前述した用語「海苔網の消毒装置」と、それぞれ対応している。
【００５３】
そして、図１−図３に記載する矢印は、説明のための方向を示しており、符号Ｄが奥行き方向、符号Ｗが幅方向、符号Ｈが高さ方向を示している。また、図４、図５において、海苔網は、巻き取られてロール状になった海苔網を「海苔網８０」と、張設されて巻き取り中の部分の海苔網を「海苔網８１」と、槽内で消毒済みで、槽内から繰り出し中の部分の海苔網を「海苔網８２」として符号を付している。なお、以下の各実施形態および各変形例において、作業船は、ｐＨセンサ（図示省略）、ｐＨセンサの検出値に基づいて給液部に送液する原液量を自動調節する送液装置（図示省略）を備えているが、周知技術（例えば、本発明者が考案した実用新案登録第３２０６８６６号）と略同様であるため、その説明等は省略する。
【００５４】
〔海苔網の消毒方法〕
本発明の海苔網の消毒方法は、概説すると以下の通りである。
（１）作業船１で海苔網が張設された海苔網の養殖場に向かい、海苔養殖場に着いてから現場の海水を導入し、被供給液（消毒液の溶媒）５０として消毒槽２０の槽本体部２０１に貯留する。
【００５５】
（２）給液部用カバー体４２で内部に空間４２３を設けて覆われた給液部４１から、空間４２３に流入している被供給液５０に対し、供給液である消毒液の原液５１を給液し、被供給液５０を、海苔網８０を浸漬する消毒液として好適な濃度に調節する。
【００５６】
（３）消毒槽２０内に設けられた巻取部３０で、海苔養殖場に張設された海苔網８２をロール状に巻き取り、槽本体部２０１においてロール状の海苔網８０として保持する。このロール状の海苔網８０は、消毒液に所要時間浸漬され、消毒作業が完了する。なお、消毒時間の前後または消毒時間中に、海苔網８０は操出部３１にロール状に巻き取られる。消毒作業完了後の海苔網８０は、消毒槽２０から繰り出して、海苔養殖場に再度張設する。
【００５７】
（４）なお、前述の（３）の消毒作業中にも、消毒に好適な濃度に調節（または濃度を維持）するために、被供給液５０に対して原液５１が給液される。このとき、給液部４１が給液部用カバー体４２で覆われているので、ロール状の海苔網８０に原液５１の飛沫が直接付着しないように給液することができる。また、給液部４１を覆う給液部用カバー体４２は、内部に空間４２３を設けてあるので、この空間４２３に流入している被供給液５０に対して原液５０を給液することで、混合液５２が混成され、その混合液５２で、消毒液である被供給液５０を消毒に好適な濃度に調節する。
【００５８】
〔第１実施形態〕
図１に示す作業船１は、船体１０と、船体１０内に設けられて海苔網の消毒に使用される消毒槽２０を備える。各部については以下で詳述する。
【００５９】
（船体１０）
船体１０は、船形が方形で船底が平坦な、いわゆる箱型に設けられている。作業船１は、船体１０を備えることにより、消毒槽２０を積載して海上で巻き取った海苔網の消毒作業を行うことができ（図４参照）、特に、狭い海域や、各都道府県で規定された漁業規則等で潜り船等の使用が禁止された区域での操業に好適に使用することができる。
【００６０】
（消毒槽２０）
消毒槽２０は、槽本体部２０１と、槽本体部２０１内に設けられた、巻取部３０および操出部３１と、給液部４１および給液部用カバー体４２を含む海苔網の消毒装置４とを有する。
【００６１】
本実施形態では、消毒槽２０は、巻取部３０および操出部３１を一組とし、消毒槽２０の幅方向中央に配置した消毒装置４を挟んで両側の領域に一対（合計２組）が配置された態様であり、一方側の領域にある巻取部３０と操出部３１を使用して海苔網の巻き取り作業をして消毒作業を行い、一方側の領域での消毒作業中であっても、他方側の領域にある巻取部３０および操出部３１を使用して海苔網の巻き取り作業を開始することができるので、作業効率が良い。なお、消毒槽は、前述の巻取部等の態様（一対、合計２組を配置）に限定するものではなく、例えば、消毒装置の片側の領域にのみ１組が配置された態様、あるいは、消毒装置の両側の領域に巻取部のみが配置された態様を除外するものではない。
【００６２】
（槽本体部２０１）
槽本体部２０１は、被供給液５０を貯留可能な構造である。本実施形態において、槽本体部２０１は、略平坦な底壁と、底壁の縁部から上方に立ち上がった側壁からなり、上方が開口した略方形の水槽であり、少なくとも内面側が耐酸性を有するように構成されている。また、本実施形態では、槽本体部２０１は、軽量かつ堅牢なＦＲＰ（繊維強化プラスチック。Fiber Reinforced Plastics）を基材として形成されているが、これに限定するものではなく、耐酸性を有する金属材、同金属材と合成樹脂材の組み合わせ等、他の公知素材により形成されたものであってもよい。
【００６３】
前述の槽本体部２０１によれば、内部に所定量の被供給液５０を貯留することができる。前述の「所定量」は、少なくとも巻き取られた海苔網８０（以下「ロール状海苔網」ということがある）の全体が液面下に沈み、ムラ無く被供給液５０に含浸することができる程度の量である。なお、「被供給液」の語は、希釈用の海水、海水と一次混合液により混成された二次混合液等、好適な濃度の消毒液となる前の各段階の液体であって、供給液が供給される液体を含む意味で使用している。
【００６４】
（巻取部３０）
巻取部３０は、槽本体部２０１内に設けられ、海苔網８１をロール状に巻き取り可能な構造である。本実施形態において、巻取部３０は、駆動力を受けて正逆両方に回転可能な棒状の部材であり、周面の一部に海苔網を係止するための鈎状の網係止部（図示省略）が設けられている。
【００６５】
巻取部３０は、槽本体部２０１の側壁の高さ方向（図１の符号Ｈ方向）の中間よりもやや底壁寄りに、槽本体部２０１内の奥行き方向（図１の符号Ｄ方向）へ架け渡して設けられている。前述の巻取部３０によれば、漁場に張設された海苔網８１を巻き取ると共に、槽本体部２０１内でロール状に保持し、かつ、浮上しないようにすることができる。
【００６６】
（操出部３１）
操出部３１は、槽本体部２０１内に設けられ、槽内の海苔網８０をロール状に巻き取り可能な構造である。本実施形態において、操出部３１は、駆動力を受けて正逆両方に回転可能な棒状の部材であり、周面の一部に海苔網を係止するための鈎状の網係止部（図示省略）が設けられている。
【００６７】
操出部３１は、槽本体部２０１の側壁の高さ方向（図１の符号Ｈ方向）の中間よりもやや底壁寄りに、槽本体部２０１内の奥行き方向（図１の符号Ｄ方向）へ架け渡して設けられている。そして、操出部３１は、前述の巻取部３０と所定間隔を空け、巻取部３０が取り付けられた位置よりも消毒槽２０の幅方向（図１の符号Ｗ方向）で中央寄り（巻取部３０と消毒装置４の間）に配置されている。
【００６８】
操出部３１は、巻取部３０により海苔養殖場から巻き取られてなるロール状海苔網８０を巻き取る部材であり、操出部３１によれば、巻取部３０から海苔網８０を巻き取ってロール状海苔網とし（ロール状海苔網８０が巻取部３０から操出部３１へ移動する、とも換言できる）、操出部３１から海苔網８０を海苔養殖場に繰り出す（海苔養殖場に戻す）ことで、再度（海苔網８２として）張設することができる。なお、巻取部３０に巻き取られた海苔網８０を操出部３１に移動させる工程は、消毒作業の浸漬時間中に行うと、ロール状海苔網８０を供給液５０（消毒液）中で一度解くことになり、浸漬がより確実に行われるので、作業効率が良い。
【００６９】
（消毒装置４）
消毒装置４は、給液部４１と給液部用カバー体４２とを備える。本実施形態において、消毒装置４は、給液部４１と給液部用カバー体４２を取り付け可能な同構造の一対の保持体４３、上面を通過する海苔網８０を支える支持棹４４、を更に有する。各部について、以下説明する。
【００７０】
（保持体４３）
保持体４３は、基部４３０と、基部上面４３０ａに形成された保持部４３１と、基部側面４３０ｂに形成された係止棒受け部４３２とを含む構造である（図２参照）。
【００７１】
基部４３０は、槽本体部２０１への取り付け時において、上方向を向く基部上面部４３０ａと、基部上面部４３０ａの端縁から垂下する基部側面部４３０ｂにより構成されるＬアングル形状である。そして、基部４３０は、基部上面４３０ａと基部側面４３０ｂが交わる入り隅を、槽本体部２０１側壁の内側上縁に位置する角に嵌めて取り付けることができるように構成されている（図１、図２参照）。
【００７２】
保持部４３１は、基部上面４３０ａに設けられ、基部上面４３０ａから所定高さ立ち上げられた立ち上げ部４３１ａと、立ち上げ部４３１ａの高さ方向略中間部分に形成された受け孔４３１ｂと、横向きの円筒状で、支持棹４４の先端を受け入れて外れないように保持可能な嵌入部４３１ｃとからなる（図２参照）。
【００７３】
係止棒受け部４３２は、基部側面４３０ｂに形成された上方が開口した略半円状の受け部分であり、後述する上部係止棒４３３の先端を嵌めて係止することができる。支持棹４４は、所定の太さの円筒で、操出部３１に巻き取られた海苔網８０を繰り出す際に、通過する海苔網８０を上面で滑らせながら下側から支える部材であり、これにより、海苔網の張設作業中に繰り出される海苔網８０が、船体１０の反対側にある構成部品の方へ垂れ下がらず、引っ掛かりを起こさないようにすることができる（図２参照）。
【００７４】
（給液部４１）
給液部４１は、巻取部３０と間隔を空けて配置され、供給液（消毒液の原液。以下「原液」という）５１を供給可能に構成されている。本実施形態で、給液部４１は、支持棹４４の下方に配置され、消毒装置４の奥行き方向Ｄに亘る長さの給液部本体４１２と、給液部本体４１２の両端に設けられた送液部４１３とからなる。給液部本体４１２は、中空管であり、槽本体部２０１の底壁方向に向けて開口した給液孔４１１が所定間隔を空けて複数形成されている（図２参照）。
【００７５】
送液部４１３は、一方が、外部の原液供給源（図示省略）と給液部本体４１２とを接続する原液の送液経路であり、他方が、供給されなかった原液を給液部本体４１２から外部の原液供給源（図示省略）へ戻す排液経路である。また、各送液部４１３は、途中から槽本体部２０１の底壁方向に向けて曲がった形状であり、各先端部分が基部４３０の受け孔４３１ｂに挿通して支持され、基端側に接続された給液部本体４１２が給液部用カバー体４２の内側に位置するようにしてある。なお、給液部４１は、給液部本体４１２が槽本体部２０１に貯留される被供給液の液面よりも高くなるように設定されている（図２、図５参照）。
【００７６】
本構成を備えることによって、給液部４１は、原液５１を、貯留された被供給液５０に向けて供給することができる。また、給液部４１と巻取部３０との間には間隔が空けられており、給液部用カバー体４２を配置するスペースを確保することができる。
【００７７】
（給液部用カバー体４２）
給液部用カバー体４２は、給液部４１の周囲の一部に覆設し、給液により発生する飛沫の外部拡散を遮断可能な区画部材（後述するカバー本体４２０）により構成され、区画部材の内部に槽本体部２０１の内底方向に向かう空間４２３が形成されると共に、空間４２３の内部と外部にある液（被供給液５０と、後述する混合液５２）が、相互に流入出可能な通液部４２４が形成されている。
【００７８】
より詳しくは、本実施形態の給液部用カバー体４２は、巻取部３０あるいは操出部３１で巻き取られた海苔網８０に、供給された原液５１が直接付着しないように給液部４１の周囲の一部を覆う（覆設される）と共に、給液部４１との間に空間４２３が形成され、槽本体部２０１内に貯留される被供給液５０の液面下に沈下する沈下部分を一部に含み、沈下部分に空間４２３の内外にある液体が通過可能な通液部４２４が形成された構造である。
【００７９】
本実施形態の給液部用カバー体４２は、区画部材が、柔軟で、水密かつ耐酸性を有するシート（更に詳しくは、やや厚手のポリプロピレンシートで、ポリエステル強力糸で格子状に編織したネットが付加されたシート（カバー本体４２０））で形成され、その下方が、槽本体部２０１の内底近傍まで垂下した横断面視Ｖ形状の略樋形に設けられている。
【００８０】
図３を参照する。カバー本体４２０は、奥行き方向Ｄへ長尺に形成されており、短尺となる幅方向Ｗの両端に、上部係止棒４３３を挿通できる筒状の上側取付部４２１が形成され、幅方向Ｗの中間に、下部係止棒４３４を挿通できる筒状の下側取付部４２２が形成されている。そして、カバー本体４２０の奥行き方向Ｄの長さが、槽本体部２０１の内壁間の奥行き方向Ｄの長さと略同じに設定されている。これにより、このカバー本体４２０を用いて給液部用カバー体４２を組んだ際に、槽本体部２０１内が区画され（換言すると、槽本体部２０１内が仕切られ）、供給されて間もない原液５１を含む混合未然部分が、給液部用カバー体４２と槽本体部２０１内壁の間の隙間から流出して、海苔網８０に付着することを抑制できる。
【００８１】
また、カバー本体４２０は、表裏方向に貫通した、複数の通液部４２４が形成されており、各通液部４２４は、下側取付部４２２の長手方向の両側に沿って、所定間隔を空けて形成されている（図３参照）。前述の位置に通液部４２４が形成されていることにより、このカバー本体４２０を用いて給液部用カバー体４２を組んだ際に、通液部４２４が槽本体部２０１の内底近傍に位置することとなる（図２参照）。
【００８２】
このカバー本体４２０は、下側取付部４２２に下部係止棒４３４を挿通し、下部係止棒４３４を槽本体部２０１の内底近傍に固定する。次に、上側取付部４２１の各々に上部係止棒４３３を挿通して上方に引き上げ、上側取付部４２１の端部を係止棒受け部４３２に嵌め入れて係止する（なお、この取り付け手順は、順番が逆であってもよい）。給液部用カバー体４２は、前述の区画作用と、巻き取り時の海苔網の接触防止を考慮して、シートが弛まない程度の張力を与えた態様で取り付けられている。
【００８３】
このように構成された消毒装置４は、カバー本体４２０に柔軟なシートを採用した構造であることによって、消毒槽２０への取り付けがしやすいと共に、板材等で構成するよりも比較的軽量となって重量軽減を図ることができる。そして、比較的安価な材料で構成されたものでありながら、巻き取られた海苔網８０へ原液５１が直接または混合未然状態で付着することを充分に抑制することができる（図５参照）。
【００８４】
また、給液部用カバー体４２は、上方が開口していることで、給液部４１から原液５１が供給されているか否かを直接視認することができる。なお、作業船１が波で揺れたり風が吹き込んだりすることによって、原液５１が飛沫となって多少飛び散ったとしても、給液部用カバー体４２の上縁部の位置が給液部４１の位置よりも高い位置にあるので、原液５１の飛沫が上方の開口から外部へ飛散することを抑制することができる（図５参照）。
【００８５】
なお、ここで、「飛沫」と表現しているが、これに限定するものではなく、例えば、飛び散る泡、しぶき、とばしりのみならず、強風等の現象により筋状に流下する原液の向き自体が斜めに変わるなどした原液そのものを除外するものではない。
【００８６】
そして、給液部用カバー体４２は、その下方が、槽本体部２０１の内底近傍まで垂下した横断面視Ｖ形状の略樋形に設けられているので、給液部用カバー体４を挟んで槽本体部２０１内が区画された（仕切られた）状態となる。これにより、海苔網８１の巻き取り作業（図４参照）の際に、巻き取り中の一方の海苔網８１が勢い余って既に槽本体部２０１内にあるロール状に巻かれた他方の海苔網（図示省略）に接触して絡み、この絡みを解くために作業が遅延する、といった事故を抑止することができる。この事故の抑止により、海苔網の破損のみならず、消毒中の海苔網が、規定時間以上消毒液に浸漬されるという事態も回避することができる。
【００８７】
また、本構成を備えることで、給液部用カバー体４２は、給液部４１から原液５１が供給する際に、ロール状海苔網８０に対して、飛沫状態等の原液５１が直接付着しないようにすることができると共に、原液５１を含む混合未然部分が付着しないようにすることができる。加えて、給液部用カバー体４２は、図４に示すような、巻き取り作業中で、船体１０近傍に位置している海苔網８１にも供給された原液５１が直接付着しないようにしてある。
【００８８】
前述の通り、原液５１が、海面上に露出した巻き取り中の海苔網８１、あるいは、一時的に被供給液５０の液面上へ露出したロール状の海苔網８０に直接付着すると、先に説明したとおり芽傷みを起こすが、給液部用カバー体４２によれば、海苔網８０、８１、８２に原液５１が直接付着することが抑制され、これにより芽傷みの発生も抑制することができる。そして、給液部用カバー体４２は、巻き取られた海苔網８０への混合未然部分の付着についても抑制することができるので、より消毒作業の安全性を高めることができる。
【００８９】
そして、給液部用カバー体４２は、液密な素材で形成されていると共に、沈下部分が槽本体部の内底あるいは内底近傍まで延設され、空間４２３と通液部４２４が形成されていることによって、空間４２３内で原液５１と被供給液５０による混合液５２を混成することができると共に、混合未然部分が、海苔網に付着することを抑制することができる（図５参照）。
【００９０】
まず、給液部用カバー体４２の沈下部分にある通液部４２４を通じて、槽本体部２０１内において給液部用カバー体４２の外側に貯留されている被供給液５０が、給液部用カバー体４２の内側（前述の空間４２３内）に流入する。次に、流入した被供給液５０は、供給された原液５１と混成されて混合液５２（一次混合液）となり、この混合液５０が、通液部４２４を通じて給液部用カバー体４２の外側（前述の空間４２３外）に流出する。
【００９１】
流出した混合液５２は、槽本体部２０１内において給液部用カバー体４２の外側に貯留されている被供給液５０と混じり合って二次混合液（符号省略）を混成し、この二次混合液が混成されるサイクルが進むことで、海苔網の消毒に適した濃度の消毒液になる。更に、この内外の液が入れ替わるサイクルは、原液５１が供給されている間は継続し、海苔網８１の巻き取りに伴って槽本体部２０１内にある被供給液５０に海水が混じることがあっても、被供給液５０を海苔網８０の消毒に好適な濃度に維持することができる。なお、槽本体部に貯留する被供給液の濃度の調節には、例えば、ｐＨセンサ、ｐＨセンサの検出値に基づいて給液部４１への原液の送液量を自動調節する送液装置を使用しても良い。
【００９２】
そして、給液部用カバー体４２は、液中への沈下部分がより深くなり、かつ、最下部に通液部４２４が配置される構成であるため、給液部用カバー体内の空間４２３を広く取ることができると共に、被供給液５０の液面から通液部４２４までの距離が長くなり、この結果、原液５１は、流出部分である通液部４２４に至るまでに、被供給液５０と充分に混合あるいは希釈されて、混合未然部分が無いか、あるいは極めて少ない混合液（一次混合液）５２として、外部に流出するようにすることができ、消毒作業を安全に行うことできる。
【００９３】
なお、本実施形態において、通液部４２４は比較的小さな孔であるため、開口部分が小さくて済み、カバー本体４２０の強度低下を抑制している。また、通液部４２４は、孔ではなく、スリットや、細かいメッシュで閉じた開口部等で置換してもよい。
【００９４】
〔変形例１〕
図６（ａ）に示す消毒装置４ａは、図２等に示す消毒装置４の変形例である。消毒装置４は、給液部用カバー体４２が横断面視Ｖ形状であるが、消毒装置４ａは、給液部用カバー体４２ａが横断面視角型の受け箱形状である。
【００９５】
消毒装置４ａは、カバー本体４２０に設けられた下側取付部４２２が２箇所で、カバー本体４２０を係止する下部係止棒４３４が２本である点で、消毒装置４と相違しており、給液部用カバー体４２ａを係止する箇所が多いことから保形性に優れ、また、内部に形成される空間も広く取ることができる点で好適である。
【００９６】
なお、他の部分の構造および作用は、給液部用カバー体４２と同様であるため、給液部用カバー体４２の各部と同じ符号を付けると共に、説明を省略する。また、本変形例では、給液部用カバー体は、横断面視角型の受け箱形状であるが、これに限定するものではなく、例えば、横断面視半円形等、他の形状であってもよい。
【００９７】
〔変形例２〕
図６（ｂ）に示す消毒装置４ｂは、図６（ａ）に示す消毒装置４の変形例である。消毒装置４ｂは、給液部用カバー体４２ｂが横断面視で略角型の受け箱形状である。消毒装置４ａは、カバー本体４２０に下側取付部４２２が設けられておらず、シート本体の取り付けに前述の下部係止棒を使用せずに、複数の保持アーム４３５で給液部用カバー体４２ｂの保形がなされる点で、消毒装置４ａと相違している。
【００９８】
保持アーム４３５は、横枠（符号省略）と、横枠の両端から同じ方向へ立ち上がり、先端に係止部（符号省略）が形成された一対の腕枠（符号省略）を有し、係止部を上部係止棒４３３の内側に係止させて取り付ける構造である。本変形例では、消毒装置４ａのように、カバー本体４２０に下側取付部を設ける必要が無いので、カバー本体４２０の構造を簡略化することができる点で好適である。また、下側取付部に下部係止棒を通して槽本体部へ取り付ける作業が必要無いので、組立やメンテナンスの効率を向上することができる点でも好適である。
【００９９】
なお、他の部分の構造および作用は給液部用カバー体４２と同様であるため、給液部用カバー体４２の各部と同じ符号を付けると共に、説明を省略する。また、本変形例では、給液部用カバー体は、横断面視が略角型の受け箱形状であるが、これに限定するものではなく、例えば、横断面視Ｖ形状、横断面視半円形等、他の形状であってもよい。
【０１００】
〔第２実施形態〕
図７に示す消毒装置４ｃは、給液部用カバー体４２ｃの区画部材が、液密かつ耐酸性を有する２枚の板材（以下「仕切り板４５」という）で形成され、仕切り板４５が給液部４１を挟んで対向して立設されると共に、給液部用カバー体４２ｂの上端縁の位置が給液部４１よりも高い位置に設定された構造である。また、通液部４２４は、各仕切り板４５の下方（通液部４２４が槽本体部２０１の内底近傍）に形成されている。なお、本実施形態において、作業船は、消毒装置４ｃ以外の構成（船体１０、槽本体部２０１、巻取部３０および操出部３１、給液部４１）は、第１実施形態で説明したものと同じ構造および作用効果であるため、その説明を省略する。
【０１０１】
前述の構造である給液部用カバー体４２ｂは、ロール状海苔網（図示省略）へ原液５１が直接または混合未然状態で付着することを充分に防止することができ、また、堅牢な構造であるため、少なくとも、巻き取り作業時に海苔網が当たる等しても容易に破損しない程度の耐久性向上を期待することができる。
【０１０２】
また、給液部用カバー体４２ｂは、立設した仕切り板４５と槽本体部２０１の内底とによって上方が開口した略樋形状にすることができ、この開口部分から、給液部４１から原液５１が供給されているか否かを直接視認することができる。なお、作業船１が波で揺れたり風が吹き込んだりすることによって、原液５１が飛沫となって多少飛び散ったとしても、給液部用カバー体４２ｂの上縁部の位置が給液部４１の位置よりも高い位置にあるので、原液５１が上方の開口から外部へ飛散することを抑制することができ、これにより、原液５１が海苔網へ直接付着することを抑制できる（図７参照）。
【０１０３】
そして、仕切り板４５は、奥行き方向の長さ（図示省略）が、槽本体部２０１の内壁間の奥行き方向の長さと略同じに設定され、高さ方向の長さが、槽本体部２０１の内底から開口までの高さと略同じに設定されている。これにより、仕切り板４５を用いて給液部用カバー体４２ｂを組んだ際に、槽本体部２０１内が区画される（換言すると、槽本体部２０１内が仕切られる）と共に、通液部４２４が槽本体部２０１の内底近傍に形成してあるので、供給された原液５１が落ちた直後の被供給液５０の液面近くで生じる混合未然部分が、給液部用カバー体４２ｂと槽本体部２０１内壁の間の隙間から混合未然状態で流出して、海苔網に付着することを抑制できる。
【０１０４】
そして、前述の給液部用カバー体４２ｂは、各仕切り板４５が槽本体部２０１に立設されているので、給液部用カバー体４２ｂを挟んで槽本体部２０１内が区画された（換言すると、槽本体部２０１内が仕切られた）状態となり、これにより、海苔網の巻き取り作業の際に、巻き取り中の一方の海苔網が勢い余って既に槽内にあるロール状に巻かれた他方の海苔網に接触して絡み、この絡みを解くために作業が遅延する、といった事故を抑止することができる。この事故の抑止により、海苔網の破損のみならず、消毒中の海苔網が、規定時間以上消毒液に浸漬されるという事態も回避することができる。
【０１０５】
本実施形態において、給液部用カバー体４２ｂを構成する仕切り板４５は、槽本体部２０１と同じＦＲＰ（Fiber-Reinforced Plastics）製である。各仕切り板４５は、槽本体部２０１の幅方向となる内壁の各々に、内底から上方へ直角方向に形成された嵌合溝２０２により着脱可能に取り付けられている。給液部用カバー体４２ｂは、前述の構造により仕切り板４５が工具等を使用しなくても着脱容易であるため、組立やメンテナンスの効率を向上することができる点でも好適である。なお、本実施形態では、仕切り板４５が着脱可能に構成されているが、これに限定するものではなく、例えば、仕切り板４５が槽本体部２０１に固着される構成であってもよい。
【０１０６】
〔変形例３〕
図８（ａ）に示す消毒装置４ｄは、図７に示す消毒装置４ｃの変形例である。消毒装置４ｄの給液部用カバー体４２ｄは、透明な合成樹脂の板材により形成され、上部が閉塞された（開口していない）態様である。また、給液部用カバー体４２ｄの下端が、槽本体部２０１の内底と所定間隔を空けるように取り付けられ、ここに生じる隙間が通液部４２４となるように構成されている。
【０１０７】
給液部用カバー体４２ｄは、上方が開口していない構造であるため、原液５１が外部へ飛散することを防止することができる点で好適である（図８（ａ）参照）。なお、給液部用カバー体４２ｄは透明であるため、外部からも内部で原液５１が供給されているか否かを間接的に視認することができる。
【０１０８】
〔変形例４〕
図８（ｂ）に示す消毒装置４ｅは、図７に示す消毒装置４ｃの変形例である。消毒装置４ｅの給液部用カバー体４２ｅは、給液部用カバー体４２ｃの上部開口に透明な合成樹脂で形成した蓋４５１が設けられた態様である。
【０１０９】
給液部用カバー体４２ｅは、給液部４１から原液５１が供給されていることを確認した後、蓋４５１を閉じることで、原液５１が上方の開口から外部へ飛散することを防止することができる点で好適である（図８（ｂ）参照）。なお、蓋４５１が透明であるため、蓋をした状態であっても、内部で原液５１が供給されているか否かを間接的に視認することができ、仮に蓋４５１が曇ったとしても、蓋４５１を開けるだけの簡単な方法で内部を直接視認することができ、つまり、飛散防止効果と視認性の両方が向上している。
【０１１０】
〔変形例５〕
図９（ａ）に示す消毒装置４ｆは、図８（ａ）に示す消毒装置４ｄの変形例である。消毒装置４ｆは、給液部用カバー体４２ｆ、支持棹４４、支持棹４４の下方に設けられたシート支持部４６を有する。
【０１１１】
消毒装置４ｆは、給液部用カバー体４２ｆによって上部が閉塞された（開口していない）態様で設置され、給液部用カバー体４２ｆの下端が、槽本体部２０１の内底と所定間隔を空けるように取り付けられ、ここに生じる隙間が通液部４２４となるように構成されている点で、消毒装置４ｄと共通している。
【０１１２】
一方、消毒装置４ｆは、給液部用カバー体４２ｆのカバー本体４２０ｆが合成樹脂シートにより形成されている点、カバー本体４２０ｆをシート支持部４６で支える点、給液部４６３が複数（本変形例では２本）である点、各給液部４６３がシート支持部４６の構成部材である点、各給液部４６３は取付ステー４６２を介して取り付けられている点、において、消毒装置４ｄと相違している。
【０１１３】
本変形例において、カバー本体４２０ｆは、第１実施形態で説明したカバー本体４２０と略同じ構造の長尺な合成樹脂シートにより形成されている。また、カバー本体４２０ｆは、内部を視認可能な透明あるいは半透明で、長手方向の両方の縁部に、下部係止棒４３４ｆを挿通できる筒状の下側取付部４２２ｆが設けられている。また、カバー本体４２０ｆは、シートが弛まない程度の張力を与えた態様で取り付けられている。
【０１１４】
シート支持部４６は、支持棒４６１、取付ステー４６２、および、２本の給液部４６３を有し、図９（ａ）における端面視で、支持棒４６１の位置から左右の斜め下方に、各給液部４６３が配置された構成である。
【０１１５】
支持棒４６１は、支持棹４４と間隔を置いて真下に配置された円パイプであり、支持棹４４と並行し、かつ、槽本体部２０１の幅方向に架設されている。
【０１１６】
取付ステー４６２は、端面視で幅方向中央に、支持棒４６１を受け入れ可能な角型空間が形成された山型部分と、山型部分の両側下縁の長手方向に沿って設けられた一対の水平部分を有する。なお、本変形例において、取付ステー４６２は合計３つ使用され、シート支持部４６の長手方向両端近傍と長手方向中間部分に取り付けられている（図示省略）が、これに限定するものではなく、使用される数および取り付け位置は適宜設定することができる。
【０１１７】
給液部４６３は、所定間隔で給液孔が形成された円パイプであり、取付ステー４６２の各水平部分の下面に各１本（合計２本）が取り付けられ、支持棒４６１と同じ方向に沿って架設されている。
【０１１８】
本変形例において、支持棒４６１および各給液部４６３と、取付ステー４６２との間の取り付けは、作業の容易性からケーブルタイ４６４により行われているが、これに限定するものではなく、例えば、紐、針金の線体に等による結着、ボルト、ビス等の取付手段による取着であってもよい。
【０１１９】
消毒装置４ｆは、給液部４６３が複数であることで、単位時間あたりの原液の供給量を向上させることができ、これにより、被供給液が所定濃度に達するまでの時間を短縮することができる。ところで、消毒装置の内部空間が狭いままの構成であると、原液の供給量増加により、同空間内にある被供給液の濃度が高くなり過ぎるおそれがある。しかしながら、消毒装置４ｆは、シート支持部４６によって幅方向に広く張り出すようにカバー本体４２０ｆを支えるので、内部の空間４２３ｆを広く保持することができる。
【０１２０】
また、各給液部４６３は、シート支持部４６の構成部材を兼ね、幅方向に張り出して内部の空間４２３ｆを広く保持するため、内部の空間を広く保持するための部材を別途設ける必要がなく、シート支持部４６の構成部品点数を減らすことができる。そして、取付ステー４６２は、簡易な構成でありながら、各給液部４６３を少数の部品で保持することができ、かつ、支持棒４６１に簡単に取り付けることができる。
【０１２１】
消毒装置４ｆは、給液部用カバー体４２ｆに柔軟なシートであるカバー本体４２０ｆを採用した構造であることによって、槽本体部２０１への取り付けがしやすく、板材等で構成するよりも比較的軽量となって重量軽減を図ることができる。更に、給液部用カバー体４２ｄは透明等であるため、内部で原液５１が供給されているか否かを、外部から視認することができる。
【０１２２】
また、給液部用カバー体４２ｄは、シート支持部４６により支えられることで、上方が開口していない構造にすることができ、これにより、原液５１が外部へ飛散することを防止することができる。そして、装着状態における給液部用カバー体４２ｆの下端が、下側取付部４２２ｆを介して槽本体部２０１の底面近傍に固定されていることにより、給液部用カバー体４２ｆの下端が液面上に浮上しないようにしてある。これらの構成を有する消毒装置４ｆによれば、給液部４６３から給液された原液５１が、巻き取られた海苔網８０へ直接または混合未然状態で付着することを充分に抑制することができる（図９（ａ）参照）。
【０１２３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【０１２４】
１    作業船
１０    船体
２０    消毒槽
２０１    槽本体部
２０２    嵌合溝
３０    巻取部
３１    操出部
４、４ａ、４ｂ、４ｃ、４ｄ、４ｅ、４ｆ    消毒装置
４１    給液部
４１１    給液孔
４１２    給液部本体
４１３    送液部
４２、４２ａ、４２ｂ、４２ｃ、４２ｄ、４２ｅ、４２ｆ    給液部用カバー体
４２０、４２０ｆ    シート本体
４２１    上側取付部
４２２、４２２ｆ    下側取付部
４２３、４２３ｆ    空間
４２４    通液部
４３    保持体
４３０    基部
４３０ａ    基部上面部
４３０ｂ    基部側面部
４３１    保持部
４３１ａ    立ち上げ部
４３１ｂ    受け孔
４３１ｃ    嵌入部
４３２    係止棒受け部
４３３    上部係止棒
４３４、４３４ｆ    下部係止棒
４３５    保持アーム
４４    支持棹
４５    仕切り板
４５１    蓋
４６    シート支持部
４６１    支持棒
４６２    取付ステー
４６３    給液部
４６４    ケーブルタイ
５０    被供給液
５１    原液
５２    混合液（一次混合液）
８０    海苔網（ロール）
８１    海苔網（張設分）
８２    海苔網（繰り出し分、消毒済み）
９０    箱型船
９１    棒状部材
９３    可撓シート材
９３    原給液部
９３ａ、９３ｂ    チューブ
９３１ａ、９３１ｂ    吐出孔
９４    酸原液
９５    酸処理液
【図１】
2019115330.tif 000003
【図２】
2019115330.tif 000004
【図３】
2019115330.tif 000005
【図４】
2019115330.tif 000006
【図５】
2019115330.tif 000007
【図６】
2019115330.tif 000008
【図７】
2019115330.tif 000009
【図８】
2019115330.tif 000010
【図９】
2019115330.tif 000011
【図１０】
2019115330.tif 000012
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
槽本体部と、
該槽本体部内に設けられ、海苔網をロール状に巻き取り可能な巻取部と、
前記槽本体部に設けられ、同槽本体部内へ給液可能な給液部と、
該給液部の周囲あるいは周囲の一部に覆設し、給液により発生する飛沫の外部拡散を遮断可能な区画部材により構成され、該区画部材で区画された内側の領域に前記槽本体部の内底方向に向かう空間が形成されると共に、該空間の内部と外部にある液が、相互に流入出可能な通液部が形成されている給液部用カバー体とを備える
海苔網の消毒槽。
【請求項２】
前記給液部用カバー体が、液密な素材で形成されていると共に、前記区画部材が前記槽本体部の内底あるいは内底近傍まで延設され、前記通液部の位置が前記槽本体部の内底近傍に設定された構造である
請求項１に記載の海苔網の消毒槽。
【請求項３】
前記給液部用カバー体が、前記区画部材が柔軟なシートで形成され、上方が開口し、下方が垂下した略樋形状に設けられると共に、同給液部用カバー体の上縁部の位置が前記給液部の位置よりも高い位置に設定された構造である
請求項２に記載の海苔網の消毒槽。
【請求項４】
前記給液部用カバー体が、前記区画部材が２枚の板材で形成され、該板材が前記給液部を挟んで対向して立設されると共に、同給液部用カバー体の上端縁の位置が前記給液部よりも高い位置に設定された構造である
請求項２に記載の海苔網の消毒槽。
【請求項５】
海苔網をロール状に巻き取り可能な巻取部、および、槽内へ給液可能な給液部を有する海苔網の消毒槽に取り付け可能で、前記給液部の周囲あるいは周囲の一部を覆設し、給液により発生する飛沫の外部拡散を遮断可能な区画部材により構成され、該区画部材で区画された内側の領域に前記消毒槽の内底方向に向かう空間が形成されると共に、該空間の内部と外部にある液が、相互に流入出可能な通液部が形成されている
給液部用カバー体。
【請求項６】
海苔網をロール状に巻き取り可能な巻取部が内部に設けられた海苔網の消毒槽に取り付けられる、該消毒槽内へ給液可能な給液部と、
該給液部の周囲あるいは周囲の一部を覆設し、給液により発生する飛沫の外部拡散を遮断可能な区画部材により構成され、
該区画部材で区画された内側の領域に前記消毒槽の内底方向に向かう空間が形成されると共に、該空間の内部と外部にある液が、相互に流入出可能な通液部が形成されている給液部用カバー体とを備える
海苔網の消毒装置。
【請求項７】
船体と、
該船体内に設けられた槽本体部、該槽本体部内に設けられ、海苔網をロール状に巻き取り可能な巻取部、前記槽本体部に設けられ、同槽本体部内へ給液可能な給液部、該給液部の周囲あるいは周囲の一部を覆設し、給液により発生する飛沫の外部拡散を遮断可能な区画部材により構成され、該区画部材で区画された内側の領域に前記槽本体部の内底方向に向かう空間が形成されると共に、該空間の内部と外部にある液が、相互に流入出可能な通液部が形成されている給液部用カバー体を有する海苔網の消毒槽とを備える
作業船。
【請求項８】
消毒液の溶媒となる被供給液を内部に貯留し、海苔養殖場から巻き取られてロール状となった海苔網を収容した、給液部を備える消毒槽において、給液部用カバー体で内部に空間を設けて覆われた給液部から、前記空間に流入している前記被供給液に対し、前記ロール状の海苔網に飛沫が直接付着しないようにして消毒液の溶質となる供給液を給液し、その混合液で、前記海苔網を浸漬する消毒液を消毒に好適な濃度に調節する工程を備える
海苔網の消毒方法。